(57)【要約】【課題】使用可能な机のスペースを狭くすることなく机の上のごみを集めることを可能とする机を提供する。【解決手段】机１の天板２の一部が開口される開口部３を有している。そして開口部３を塞ぎ、天板２の面と同一平面となる平面部分４を有する閉塞部材５を備える。そして閉塞部材は、天板２よりも重力方向にずれた位置であって天板２に沿った回転軸６による、開口部３位置の回転動作が可能である。この回転動作の際に、閉塞部材５が天板２の面と同一平面となる姿勢(第一の姿勢)が実現される。【選択図】図１
2018153518.tif 000002
【特許請求の範囲】
【請求項１】
机の天板の一部が開口される開口部を有し、
前記開口部を塞ぎ、前記天板の面と同一平面となる平面部分を有する閉塞部材を備え、
前記閉塞部材は、前記天板よりも重力方向にずれた位置であって前記天板に沿った回転軸による、前記開口部位置の回転動作が可能であり、
前記回転動作の際に、前記閉塞部材が前記天板の面と同一平面となる第一の姿勢が実現されることを特徴とする机。
【請求項２】
請求項1記載の机において、
前記第一の姿勢から前記回転軸を軸として180°前記回転したときに、
前記閉塞部材に付着した塵が落下し、
前記塵を回収する回収箱を有することを特徴とする机。
【請求項３】
請求項1または2に記載の机において、
前記第一の姿勢を維持するため、
前記閉塞部材を前記机に固定する固定部材を備えることを特徴とする机。
【請求項４】
請求項2に記載の机において、
前記回収箱は前記閉塞部材と対向する部分がくりぬかれた容器状の形状であり、前記机の内部から引き出される引き出し機構を利用するものであり、
前記回収箱は、前記閉塞部材と前記回収箱が干渉するのを避ける形状をしていることを特徴とする机。
【発明の詳細な説明】
【技術分野】
【０００１】
本発明は、机に関するものである。
【背景技術】
【０００２】
従来より、机の上のごみを集める机が提案されている。例えば、特許文献１では、机天板の端に斜めに細長い溝孔又は複数個設けて、机上の細かなごみを排出孔の裏面に取り付けたダストボックスに落とし集めて、床面にごみを散乱させない構造を持つ机を提案している。
【先行技術文献】
【特許文献】
【０００３】
【特許文献１】実登３０７６２５４号公報
【発明の概要】
【発明が解決しようとする課題】
【０００４】
しかし、特許文献１記載の机は、溝孔又は円孔が存在するため使用可能な机のスペースが狭くなる問題があった。そこで本発明は使用可能な机のスペースを狭くすることなく机の上のごみを集めることを可能とする机を提供する。
【課題を解決するための手段】
【０００５】
上記課題を解決するため、本発明の机は、机の天板の一部が開口される開口部を有し、開口部を塞ぎ、天板の面と同一平面となる平面部分を有する閉塞部材を備え、閉塞部材は、天板よりも重力方向にずれた位置であって天板に沿った回転軸による、開口部位置の回転動作が可能であり、回転動作の際に、閉塞部材が天板の面と同一平面となる第一の姿勢が実現されることを特徴とする。
【０００６】
ここで、第一の姿勢から回転軸を軸として180°回転したときに、閉塞部材に付着した塵が落下し、塵を回収する回収箱を有することとしてもいい。
【０００７】
また、第一の姿勢を維持するため、閉塞部材を机に固定する固定部材を備えることとしてもいい。
【０００８】
また、回収箱は閉塞部材と対向する部分がくりぬかれた容器状の形状であり、机の内部から引き出される引き出し機構を利用するものであり、回収箱は、閉塞部材と回収箱が干渉するのを避ける形状をしていてもいい。
【発明の効果】
【０００９】
本発明により、使用可能な机のスペースを狭くすることなく机の上のごみを集めることを可能とする机を提供することができる。
【図面の簡単な説明】
【００１０】
【図１】本発明の実施の形態に係る机の斜視図である。
【図２】閉塞部材が回転している様子を示す図である。
【図３】この回収箱を引き出した状態の机を示す図である。
【図４】閉塞部材と回収箱とが干渉しそうな状態を示す図である。
【図５】本発明の実施の形態に係る固定部材の使用状態を示す図である。
【発明を実施するための形態】
【００１１】
以下本発明を実施するための形態を図面を用いて説明する。
【００１２】
図１は、本発明の実施の形態に係る机の斜視図である。本発明の実施の形態に係る机１は、机１の天板２の一部が開口される開口部３を有している。そして開口部３を塞ぎ、天板２の面と同一平面となる平面部分４を有する閉塞部材５を備える。そして閉塞部材は、天板２よりも重力方向にずれた位置であって天板２に沿った回転軸６による、開口部３位置の回転動作が可能である。
【００１３】
図２は閉塞部材５が回転している様子を示す図である。この回転動作の際に、閉塞部材５が天板２の面と同一平面となる姿勢(第一の姿勢)が実現される。また、閉塞部材５は事実上無限（角度）に回転できる。例えば、閉塞部材５は３６０°、７２０°等の回転が可能である。
【００１４】
なお閉塞部材５は、長尺の直方体形状をしている。そして、閉塞部材５には平面部分４が四面存する。そして、閉塞部材５とつながり、閉塞部材５の回転動作を操作するつまみ７を有する。なお、つまみ７は天板２面に沿った天板２に形成された円柱状の穴８を貫通している。
【００１５】
閉塞部材５が天板２の面と同一平面となる姿勢から回転軸６を軸として180°回転したときに閉塞部材５の平面部分４に付着した塵が落下し、塵を回収する回収箱９を有する。なお、この回転角度は便宜的に定めたもので、例えば１２０°回転したときに１００％の塵が落下するのであっても、１８０°回転させれば結果的に塵が落下する場合には、「180°回転したときに閉塞部材５の平面部分４に付着した塵が落下」するものとする。図３はこの回収箱９を引き出した状態の机１を示す図である。回収箱９は机１の内部から引き出しのように引き出される。回収箱９は上面がくりぬかれた容器状の形状をしている。この容器状の形状の内部に閉塞部材５の平面部分４に付着した塵が落下する。
【００１６】
また、回収箱９は閉塞部材５と対向する部分がくりぬかれた容器状の形状である。そして、回収箱９は机１の内部から引き出される引き出し機構を利用するものである。さらに、回収箱９は、閉塞部材５と回収箱９が干渉（衝突）を避ける形状をしている。
【００１７】
このことを詳述する。閉塞部材５が回転動作をする際には、その閉塞部材５の直方体形状によって閉塞部材５と回収箱９とが干渉することがある。図４は、閉塞部材５と回収箱９とが干渉しそうな状態を示す図である。しかし、回収箱９の閉塞部材５と対向する部分を円弧状に切り取った形状１０とすることで、かかる干渉を避けることができる。
【００１８】
ここで閉塞部材５が天板２の面と同一平面となる姿勢とすることが机１を使用する際には望ましい。そこでそれを維持するため、閉塞部材５を机１に固定する固定部材１１を設ける。すなわち、つまみ７の自由な回転を禁止する固定部材１１を設ける。図５は、本発明の実施の形態に係る固定部材１１の使用状態を示す図である。
【００１９】
ここで、固定部材１１はつまみ７の先端部分を貫通し、つまみ７と固定する貫通棒１１Aを有する。そして、貫通棒１１Aのつまみ７を貫通しない側の端部に回転軸１１Bを挿入する。そして、回転軸１１Bと固着するアーム部１１Cを有する。ここで、つまみ７は閉塞部材５とともに回転自在である。そして、貫通棒１１Aはつまみ７に追随する。そして、アーム部１１Cは回転軸１１Bを軸として回転する。
【００２０】
ここで、閉塞部材５が有する四つの平面部分４のうち、特定の一つの平面部分４が天板２と同一平面となるように位置合わせすると、アーム部１１Cが机１の端部を挟み込むことができる。アーム部１１Cが机１の端部を挟み込むと、つまみ７の角度を、前記特定の一つの平面部分４が天板２と同一平面となるように固定することになる。
【００２１】
（本発明の実施の形態によって得られる主な効果）
本発明の実施の形態に係る机１は、開口部３を塞ぎ、天板２の面と同一平面となる平面部分４を有している。この平面部分４が天板２と同一平面となることで、平面部分４が天板２と同様な役割を果たすことになり、使用可能な机のスペースを狭くすることがない。また、平面部分４に付着した塵を落下させ、塵を回収する回収箱９を備えることから机１の上のごみを集めることを可能とする。
【００２２】
また、閉塞部材５が天板２の面と同一平面となる姿勢とするため、閉塞部材５を机１に固定する固定部材１１を設けることで、つまみ７の自由な回転を禁止することができる。
【００２３】
（他の形態）
上述した本発明の実施の形態に係る机１は本発明の好適な形態の一例ではあるが、これに限定されるものではなく本発明の要旨を変更しない範囲において種々の変形実施が可能である。
【００２４】
例えば、閉塞部材５は、長尺の直方体形状をしている。そして、閉塞部材５には平面部分４が四面存する。しかし、閉塞部材５の形状は長尺の直方体形状に限らない。そして、閉塞部材５には平面部分が少なくとも一つ存すればよく、必ずしも４つ必要はない。
【００２５】
また、閉塞部材５が天板２の面と同一平面となる姿勢から回転軸６を軸として180°回転したときに閉塞部材５の平面部分４に付着した塵が落下し、塵を回収する回収箱９を有することとしている。しかし、塵は必ずしも閉塞部材５の平面部分４に付着するものではなく、例えば閉塞部材５の平面部分４を天板２と同一平面ではなくし、回収箱９と天板２との間を直接つなぐ隙間から塵を回収箱９に収納させる場合もある。
【００２６】
また、回収箱９は上面がくりぬかれた容器状の形状をしている。しかしながら回収箱９の形状は変更できる。
【００２７】
さらに、回収箱９は、閉塞部材５と回収箱９が干渉を避ける形状をしている。しかしながら回収箱９の形状は閉塞部材５との干渉を避ける形状としなくてもいい。例えば、回収箱９と閉塞部材５を十分に離すことで干渉を避ける場合などである。また、閉塞部材５と回収箱９との干渉を避けるにしても本発明の実施の形態による方法以外の方法を採用してもいい。
【００２８】
また、第一の姿勢を維持するため、閉塞部材５を机１に固定する固定部材１１を備えることとしている。しかしながら固定部材１１は必須の構成要素ではないため省略することができる。また、省略しないにしても貫通棒１１A、回転軸１１B、及びアーム部１１Cからなる固定部材１１以外の固定部材によって閉塞部材５を机１に固定させてもいい。
【符号の説明】
【００２９】
１  机
２  天板
３  開口部
４  平面部分
５  閉塞部材
６  回転軸
７  つまみ
８  穴
９  回収箱
１０  円弧状に切り取った形状
１１  固定部材
【図１】
2018153518.tif 000003
【図２】
2018153518.tif 000004
【図３】
2018153518.tif 000005
【図４】
2018153518.tif 000006
【図５】
2018153518.tif 000007
【手続補正書】
【提出日】平成29年10月22日(2017.10.22)
【手続補正１】
【補正対象書類名】特許請求の範囲
【補正対象項目名】全文
【補正方法】変更
【補正の内容】
【特許請求の範囲】
【請求項１】
机の天板の一部が開口される開口部を有し、
前記開口部を塞ぎ、前記天板の面と同一平面となる平面部分を有する閉塞部材を備え、
前記閉塞部材は、前記天板の回転軸による、前記開口部位置の回転動作が可能であり、
前記回転動作の際に、前記閉塞部材が前記天板の面と同一平面となる第一の姿勢が実現され、
前記第一の姿勢は、前記閉塞部材が有するアーム部が前記机の端部を挟み込むことで維持されることを特徴とする机。
【請求項２】
請求項１記載の机において、
前記第一の姿勢から前記回転軸を軸として１８０°前記回転したときに、
前記閉塞部材に付着した塵が落下し、
前記塵を回収する回収箱を有することを特徴とする机。
【請求項３】
請求項２に記載の机において、
前記回収箱は前記閉塞部材と対向する部分がくりぬかれた容器状の形状であり、前記机の内部から引き出される引き出し機構を利用するものであり、
前記回収箱は、前記閉塞部材と前記回収箱が干渉するのを避ける形状をしていることを特徴とする机。
【手続補正２】
【補正対象書類名】明細書
【補正対象項目名】０００５
【補正方法】変更
【補正の内容】
【０００５】  上記課題を解決するため、本発明の机は、机の天板の一部が開口される開口部を有し、開口部を塞ぎ、天板の面と同一平面となる平面部分を有する閉塞部材を備え、閉塞部材は、天板の回転軸による、開口部位置の回転動作が可能であり、回転動作の際に、閉塞部材が天板の面と同一平面となる第一の姿勢が実現され、第一の姿勢は、閉塞部材が有するアーム部が机の端部を挟み込むことで維持されることを特徴とする。